(57)【要約】【課題】単位時間当たりの弾球数が多くなっても、安定又確実に、遊技球を槌先で叩打することができる。【解決手段】１個ずつ順に繰り出される遊技球１を遊技盤へ発射する遊技球発射装置において、発射杵２０の槌先２４は、遊技球１を叩打する。叩打するため遊技球１を繰り出す際に、槌先２４を後退動作させ、発射レール３２上で、槌先２４が後退動作をしながら遊技球１を受け止めることで、遊技球１が槌先２４において速やかに静止安定するので、連続して弾球し易くなる。【選択図】図７
2008061966.tif 000002
【特許請求の範囲】
【請求項１】
１個ずつ順に繰り出される遊技球を遊技盤へ発射する遊技球発射装置において、
発射球待機位置へ繰り出される遊技球を、槌先で叩打する発射杵を有し、前記遊技球の繰り出しに伴って、該槌先を後退動作させながら遊技球を受け止める遊技球発射機構部を備えたことを特徴とする遊技球発射装置。
【発明の詳細な説明】
【技術分野】
【０００１】
本発明は、１個ずつ順に繰り出される遊技球を遊技盤へ発射する遊技球発射装置に係り、特に、単位時間当たりの弾球数が多くなっても、安定又確実に、遊技球を槌先で叩打することができる遊技球発射装置に関する。
【背景技術】
【０００２】
球送り装置は、球供給装置、整流器などとも呼ばれ、遊技球発射装置における発射球待機位置へ、発射する遊技球１を１つずつ順に繰り出す。図１では、叩打した後に発射杵２０は、該叩打のままの位置とし、位置球送り装置から送り出された遊技球を、該発射杵２０の槌先２４で受ける。次の叩打のため発射杵２０を後退駆動させると、遊技球１は、発射レール３２の下端で打球待機部３３の突起に当たり、発射球待機位置となる。この後、発射杵２０は、更に後退駆動してから、遊技球１へと急速に前進し、弾球することになる。
【０００３】
ここで、位置球送り装置から送り出された遊技球１は、発射杵２０の槌先２４において弾むなどして、静止安定するために時間を要する。特許文献１では、遊技球１を槌先２４に受けてから、ゆるやかに後退させるようにすることで、遊技球１が静止安定し易くしている。
【０００４】
なお、該後退を速やかにすると、送り出された遊技球１を槌先２４で受けた時だけでなく、打球待機部３３の突起に当たり発射球待機位置で遊技球１が停止する際にも、遊技球１が弾むなどして静止安定するために時間を要する。このため、特許文献２や３では、図２のように、叩打した後、発射杵２０は後退駆動させておいてから、位置球送り装置から遊技球１を送り出すことで、遊技球１は、槌先２４に当たることなく直接打球待機部３３で受ける。このようにして、発射杵２０及び遊技球１は、次の発射可能な位置に速やかにすることができるとしている。
【０００５】
【特許文献１】特公平７−１０６２３９号公報
【特許文献２】特許２７７９５３０号公報
【特許文献３】特許３３４５３５９号公報
【発明の開示】
【発明が解決しようとする課題】
【０００６】
しかしながら、遊技球発射装置では、槌先２４には、弾球を効率よく行うために巻きばね、または高反発弾性体が固定してある。
【０００７】
このため、特許文献１の図１の場合、発射レール３２上に補給された遊技球１は、距離Ｌ１だけ転がり落ち、槌先２４で若干弾み、更に、発射レール３２の最下端にある打球待機部３３に当たる際にも若干弾むこととなる。
【０００８】
従って、単位時間当たりの弾球数が少ない場合には、安定した弾球が行えるものの、弾球数が増加すると、補給された遊技球１は、槌先２４で弾み、更に発射レール３２の下端にある打球待機部３３でも弾み、完全に静止する以前に発射杵２０が弾球することになる。
【０００９】
又、特許文献２や３の図２の場合、球送り装置より送り出された遊技球１は、打球待機部３３まで、距離Ｌ２だけ転がり落ちることになる。該距離Ｌ２は、前述の距離Ｌ１より大となる。このため、打球待機部において遊技球が静止安定するまで相当な時間を要することになり、１分間１００発の発射速度において次の打球タイミングまでに静止安定が確実に行われず、遊技球１が完全に静止する以前に、発射杵２０が遊技球１を弾球することになる。
【００１０】
何れの場合においても、遊技球１の静止安定が確実に行われないと、発射杵２０の槌先２４が遊技球１の中心部に当らず、打球エネルギが遊技球１に有効に加わらず、又、遊技球１が静止する前に打球タイミングとなり弾球するために発射エネルギが有効に加わらない。従って、弾球にバラツキが生じ、球飛びにムラが発生するという問題点があった。
【００１１】
本発明は、前記従来の問題点を解決するべくなされたもので、単位時間当たりの弾球数が多くなっても、安定又確実に、遊技球を槌先で叩打することができる遊技球発射装置を提供することを課題とする。
【課題を解決するための手段】
【００１２】
本願発明は、１個ずつ順に繰り出される遊技球を遊技盤へ発射する遊技球発射装置において、発射球待機位置へ繰り出される遊技球を、槌先で叩打する発射杵を有し、前記遊技球の繰り出しに伴って、該槌先を後退動作させながら遊技球を受け止める遊技球発射機構部を備えたことにより、前記課題を解決したものである。
【発明の効果】
【００１３】
本願発明によれば、球送り装置よりレール面に補給された遊技球を、発射レールの最下端にある打球待機部へゆっくりと後退動作する発射杵先端の槌先で受けることにより、遊技球の落下の勢いは相殺され、遊技球の弾み量は軽減し、遊技球はより早く静止安定することができる。
【発明を実施するための最良の形態】
【００１４】
以下、図を用いて本発明の実施の形態を詳細に説明する。
【００１５】
図３は、本発明が適用された実施形態の遊技球発射装置の正面図である。
【００１６】
まず図３において、発射装置取付ベース板１０には、遊技球１を遊技盤面に発射する発射杵２０が、発射アーム軸２２を回動軸として、回動自在に支持されている。該発射杵２０は、発射アーム軸２２を介して後述するアームばね台４４と一体となっている。
【００１７】
更に、該発射装置取付ベース板１０には、発射杵２０を駆動するためのステッピングモータ４０、遊技球１を弾球した後の衝撃を緩衝し停止させるためのストッパゴム３７が取り付けられたストッパゴムホルダ３６、及び、発射レール３２を取り付けるための発射レール取付台３０がそれぞれ固定されている。該発射レール３２は、前述したように、弾球するために一時的に遊技球１を、符号３４で示される定位置（発射球待機位置）に保持する。
【００１８】
次に、図４は、本実施形態の遊技球発射装置の背面図である。
【００１９】
図示されるように、遊技球発射装置の背面には、ステッピングモータ４０のモータ軸（シャフト）４０ａに固定され、該ステッピングモータ４０により回転駆動される発射カム４２と、前述のように発射アーム軸２２を介して発射杵２０と一体となるアームばね台４４とが設けられている。該アームばね台４４には、図示されないねじりコイルばねが内蔵されている。
【００２０】
アームばね台４４及び前述の発射杵２０と、後述するアームギヤ５６との間には、上記のねじりコイルばねが介在し、該ねじりコイルばねによりこれらの間において弾性力が作用している。該弾性力により、発射アーム軸２２を回動軸とし、発射杵２０は遊技球１を図３において右側から左側へ弾球するように、つまり該発射アーム軸２２において該図中時計回りに、常に一定方向で付勢されている。
【００２１】
発射カム４２の外周面（カム面）に、アームばね台４４に固定されたカムころ軸４５に回動自在に支持されたカムころ４６が、ねじりコイルばね（図示なし）の弾性力による押し付け力により、当接するようになっている。
【００２２】
ここで、発射カム４２のカム形状の外周面において、カムころ４６が当接している位置が発射カム４２の回転軸から離れる程カムころ４６が上昇し、該回転軸に近づく程下降すると呼ぶものとする。発射カム４２が回転し、該発射カム４２のカム形状の外周面に沿ってカムころ４６が上昇すると、発射杵２０が弾球動作を行うための瞬発力となる弾性力が、ねじりコイルばねにおいて蓄えられていく。
【００２３】
図５は、カムころ４６が最大上昇位置にあるときの遊技球発射装置の背面から見た斜視図である。又、図６は、該最大上昇位置から更に発射カム４２が回転した位置における遊技球発射装置の背面から見た斜視図である。
【００２４】
ステッピングモータ４０の駆動力により、発射カム４２が図４において反時計回りに、又図５及び図６において矢印Ａの方向に回転し、発射カム４２において、カムころ４６が最大上昇位置となると、図５のようになる。この時、上述のねじりコイルばねの付勢力は最大になる。
【００２５】
又、該最大上昇位置の後、ステッピングモータ４０の駆動力により発射カム４２が更に回転すると、カム形状の急激な変化により、カムころ４６は発射カム４２の外周面（カム形状）を一旦離れ、該カムころ４６の位置は急速に最下降位置になり、図６のようになる。この時、図６において、該カムころ４６は矢印Ｂの方向へ急激に移動する。
【００２６】
カムころ４６の位置が最大上昇位置から急速に最下降位置になると、ねじりコイルばねの付勢力によって、発射杵２０が発射アーム軸２２を回動軸とし、図３において時計回りに勢いよく回動する。該回動により、発射杵２０による弾球動作が行われ、即ち、発射レール３２の最下端と、発射レール取付台３０に設けられた打球待機部３３とに接触するようにして、発射球待機位置に保持されている遊技球１を、発射杵２０の槌先２４により叩打し、遊技盤面へと発射する。該弾球動作の後、発射杵２０はストッパゴム３７に衝撃を緩和されながら突き当たって停止する。
【００２７】
なお、前述のように、ねじりコイルばねは、発射杵２０に一体のアームばね台４４と、アームギヤ５６との間に介在している。そして、図示されないハンドルを遊技者が回転操作することで、ハンドルギヤ押え板５０により保持されるハンドルギヤ５２を回動させることができる。又、該ハンドルギヤ５２の回動により、中間ギヤ５４を介してアームギヤ５６を回動することができる。従って、遊技者によるハンドル回転操作により、ハンドルギヤ５２、中間ギヤ５４、アームギヤ５６を回動させ、該アームギヤ５６及びアームばね台４４の間に介在するねじりコイルばねのねじり量が加減されるので、発射力を調整し遊技球１の発射速度の調整を行うことができる。
【００２８】
以下、本実施形態の作用について説明する。
【００２９】
発射杵２０による弾球の後、ステッピングモータ４０の駆動力により発射カム４２が回転し、カムころ４６の位置が上昇し始めると、発射杵２０は図３において反時計回りに回動し始め、又該発射杵２０の槌先２４は弾球した位置から後退し始める。そして、該発射杵２０の回動動作によって、該発射杵２０に取り付けられたスプリングピン２６により球送り装置駆動伝達部材２７が押されて、回動軸２８を軸に、該球送り装置駆動伝達部材２７が時計回りに回動する。
【００３０】
球送り装置駆動伝達部材２７の該回動により、図示されない球送り装置から、遊技球１が発射レール３２上に繰り出される。
【００３１】
図７は、本実施形態において発射レール３２に繰り出される遊技球１を示す側面図である。
【００３２】
球送り装置から繰り出された遊技球１は、発射レール３２を距離Ｌ３だけ転がり落ちて、発射杵２０の槌先２４に至り、該槌先２４に接触し受け止められる。該接触時、槌先２４は、発射レール３２の最下端にある打球待機部３３へ、ゆっくり後退動作をしている。つまり、供給された遊技球１は、後退動作中の槌先２４によって受け止められ、遊技球１は打球待機部３３に導かれる。従って、距離Ｌ３だけ転がり落ちた遊技球１の落下の勢いは、ゆっくり後退動作をする槌先２４で受け止めることにより相殺される。
【００３３】
該後退動作は、発射カム４２の外周のカム形状に従ったものであり、本実施形態では、発射カム４２やカムころ４６を主とした球発射機構部によるものである。遊技球１が球送り装置から繰り出され発射レール３２を転がる際にも、ステッピングモータ４０の駆動力により発射カム４２が回転しており、該回転に伴ってカムころ４６の位置が上昇し、又、該上昇に伴って発射杵２０が図３において半時計回りに回動することで、槌先２４はゆっくり、該後退動作をすることになる。
【００３４】
なお、本実施形態の発射杵２０は発射アーム軸２２を回動軸として円弧状に動作するものであるが、叩打する構成のものならば、形状、動作はどのようなものでもよい。又、発射レール３２上に遊技球１を繰り出す球送り装置は、機械的構成において球の繰出しタイミングを決定しているが、電気的に繰出すタイミングを決定するものであっても構わない。又、球送り装置から繰り出された遊技球１を受け止める際の、槌先２４の後退動作も、本実施形態のようなカム機構によるものに限定されるものではない。
【産業上の利用可能性】
【００３５】
以上説明したとおり、単位時間当たりの弾球数が多くなっても、安定又確実に、遊技球を槌先で叩打することができる遊技球発射装置を提供することができる。
【図面の簡単な説明】
【００３６】
【図１】第１の従来例の遊技球の位置球送り装置からの繰り出しを示す側面図
【図２】第２の従来例の遊技球の位置球送り装置からの繰り出しを示す側面図
【図３】本発明が適用された実施形態の遊技球発射装置の正面図
【図４】上記実施形態の遊技球発射装置の背面図
【図５】前記実施形態においてカムころが最大上昇位置にあるときの遊技球発射装置の背面から見た斜視図
【図６】上記最大上昇位置から更に発射カムが回転した位置における遊技球発射装置の背面から見た斜視図
【図７】前記実施形態において発射レールに繰り出される遊技球を示す側面図
【符号の説明】
【００３７】
１０…発射装置取付ベース板
２０…発射杵
２２…発射アーム軸
２４…槌先
２６…スプリングピン
２７…球送り装置駆動伝達部材
３０…発射レール取付台
３２…発射レール
３３…打球待機部
３６…ストッパゴムホルダ
３７…ストッパゴム
４０…ステッピングモータ
４２…発射カム
４４…アームばね台
４５…カムころ軸
４６…カムころ
５０…ハンドルギヤ押え板
５２…ハンドルギヤ
５４…中間ギヤ
５６…アームギヤ
【図１】
2008061966.tif 000003
【図２】
2008061966.tif 000004
【図３】
2008061966.tif 000005
【図４】
2008061966.tif 000006
【図５】
2008061966.tif 000007
【図６】
2008061966.tif 000008
【図７】
2008061966.tif 000009